(57)【要約】  第１のノードに関連するリレーノードから情報を受け取るステップを含む方法を提供する。この情報は、少なくとも１つの第２のノードの指示を含む。この方法は、この指示に基づいて、少なくとも１つの第２のノードのパラメータ情報を判断するステップも含む。【選択図】      図２
2013533686.tif 000002
【特許請求の範囲】
【請求項１】
第１のノードに関連するリレーノードから、少なくとも１つの第２のノードの指示を含む情報を受け取るステップと、
前記指示に基づいて、前記少なくとも１つの第２のノードのパラメータ情報を判断するステップと、
を含むことを特徴とする方法。
【請求項２】
前記情報が、前記少なくとも１つの第２のノードが前記リレーノードの新たな近隣ノードである旨の指示を含む、
ことを特徴とする請求項１に記載の方法。
【請求項３】
前記方法が、前記少なくとも１つの第２のノードのパラメータ情報を前記リレーノードに送信するステップを含む、
ことを特徴とする請求項１又は２に記載の方法。
【請求項４】
前記方法が、前記第１のノードと前記少なくとも１つの第２のノードの間に接続が確立されているかどうかを判断するステップを含む、
ことを特徴とする請求項１から３のいずれかに記載の方法。
【請求項５】
前記方法が、前記第１のノードと前記少なくとも１つの第２のノードの間に接続が確立されていない場合に、前記第１のノードと前記少なくとも１つの第２のノードの間に接続を確立し始めるステップを含む、
ことを特徴とする請求項４に記載の方法。
【請求項６】
前記方法が、前記リレーノードが前記第１のノードと前記少なくとも１つの第２のノードの間の接続を使用できるかどうかを判断するステップを含む、
ことを特徴とする請求項４又は５に記載の方法。
【請求項７】
前記パラメータ情報を送信するステップが、前記少なくとも１つの第２のノードの構成情報を前記リレーノードに送信して、該リレーが前記接続を使用できる旨を示すステップを含む、
ことを特徴とする請求項６に記載の方法。
【請求項８】
前記パラメータ情報を送信するステップが、前記少なくとも１つの第２のノードの構成情報を前記リレーノードに送信しないことで、前記リレーノードが前記接続を使用できない旨を示すステップを含む、
ことを特徴とする請求項６又は７に記載の方法。
【請求項９】
前記判断するステップが、前記リレーノードが前記接続をハンドオーバに使用できるかどうかを判断するステップを含む、
ことを特徴とする請求項６から８に記載の方法。
【請求項１０】
前記少なくとも１つの第２のノードの指示を含む前記情報が、前記第２のノードのリソースの状況要求を含む、
ことを特徴とする請求項１に記載の方法。
【請求項１１】
前記判断するステップが、前記リレーノード及び前記少なくとも１つの第２のノードの識別情報を前記状況要求から判断するステップを含む、
ことを特徴とする請求項１０に記載の方法。
【請求項１２】
前記方法が、前記識別情報に基づいて、前記リレーノードと前記少なくとも１つの第２のノードの間のアドレスマッピングを作成するステップを含む、
ことを特徴とする請求項１１に記載の方法。
【請求項１３】
前記方法が、前記アドレスマッピングに基づいて、前記リレーノードと前記少なくとも１つの第２のノードの間でメッセージを転送するステップを含む、
ことを特徴とする請求項１２に記載の方法。
【請求項１４】
コード手段を含むコンピュータプログラムであって、前記コード手段がプロセッサ上で実行された時に、前記プロセッサが、請求項１から１３に記載の方法を実行するように構成される、
ことを特徴とするコンピュータプログラム。
【請求項１５】
第１のノードに関連するリレーノードから、少なくとも１つの第２のノードの指示を含む情報を受け取る手段と、
前記指示に基づいて、前記少なくとも１つの第２のノードのパラメータ情報を判断する手段と、
を備えることを特徴とする装置。
【請求項１６】
前記情報が、前記少なくとも１つの第２のノードが前記リレーノードの新たな近隣ノードである旨の指示を含む、
ことを特徴とする請求項１５に記載の装置。
【請求項１７】
前記装置が、前記少なくとも１つの第２のノードのパラメータ情報を前記リレーノードに送信する手段を備える、
ことを特徴とする請求項１５又は１６に記載の装置。
【請求項１８】
前記装置が、前記第１のノードと前記少なくとも１つの第２のノードの間に接続が確立されているかどうかを判断する手段を備える、
ことを特徴とする請求項１５から１７のいずれかに記載の装置。
【請求項１９】
前記装置が、前記第１のノードと前記少なくとも１つの第２のノードの間に接続が確立されていない場合に、前記第１のノードと前記少なくとも１つの第２のノードの間に接続を確立し始める手段を備える、
ことを特徴とする請求項１８に記載の装置。
【請求項２０】
前記装置が、前記リレーノードが前記第１のノードと前記少なくとも１つの第２のノードの間の接続を使用できるかどうかを判断する手段を備える、
ことを特徴とする請求項１８又は１９に記載の装置。
【請求項２１】
前記パラメータ情報を送信する手段が、前記少なくとも１つの第２のノードの構成情報を前記リレーノードに送信して、該リレーが前記接続を使用できる旨を示すように構成される、
ことを特徴とする請求項２０に記載の装置。
【請求項２２】
前記パラメータ情報を送信する手段が、前記少なくとも１つの第２のノードの構成情報を前記リレーノードに送信しないことで、前記リレーノードが前記接続を使用できない旨を示すように構成される、
ことを特徴とする請求項２０又は２１に記載の装置。
【請求項２３】
前記判断する手段が、前記リレーノードが前記接続をハンドオーバに使用できるかどうかを判断するように構成される、
ことを特徴とする請求項２０から２２に記載の装置。
【請求項２４】
前記少なくとも１つの第２のノードの指示を含む前記情報が、前記第２のノードのリソースの状況要求を含む、
ことを特徴とする請求項１５に記載の装置。
【請求項２５】
前記判断する手段が、前記リレーノード及び前記少なくとも１つの第２のノードの識別情報を前記状況要求から判断するように構成される、
ことを特徴とする請求項２４に記載の装置。
【請求項２６】
前記装置が、前記識別情報に基づいて、前記リレーノードと前記少なくとも１つの第２のノードの間のアドレスマッピングを作成する手段を備える、
ことを特徴とする請求項２５に記載の装置。
【請求項２７】
前記装置が、前記アドレスマッピングに基づいて、前記リレーノードと前記少なくとも１つの第２のノードの間でメッセージを転送する手段を備える、
ことを特徴とする請求項２６に記載の装置。
【発明の詳細な説明】
【技術分野】
【０００１】
本開示は、通信システムにおいてモバイル機器による通信をリレーすることに関する。
【背景技術】
【０００２】
通信システムは、モバイル通信機器などの２又はそれ以上のエンティティ間、及び／又は通信システムに関連するその他の局間の通信セッションを可能にする設備と見なすことができる。通常、通信システム及び互換通信機器は、システムに関連する様々なエンティティが何をすることができるか、及びいかにしてそれを達成すべきかを示す所与の標準又は仕様に従って動作する。例えば、通常は、通信機器がいかにして通信システムにアクセスできるか、及び通信機器間、通信ネットワークの要素間、及び／又はその他の通信機器間でいかにして通信を実施すべきかが定められている。
【０００３】
無線通信システムでは、少なくとも２つの局間の通信の少なくとも一部が無線リンクを介して行われる。無線システムの例としては、公衆陸上移動体ネットワーク（ＰＬＭＮ）、衛星通信システム、及び、例えば無線ローカルエリアネットワーク（ＷＬＡＮ）などの様々な無線ローカルネットワークが挙げられる。無線システムでは、基地局によりアクセスノードが提供される。基地局の無線カバレッジ領域はセルとして知られており、従って、無線システムはセルラーシステムと呼ばれることが多い。システムによっては、基地局アクセスノードがノードＢと呼ばれる。
【０００４】
ユーザは、適当な通信機器によって通信システムにアクセスすることができる。ユーザの通信機器は、ユーザ装置（ＵＥ）と呼ばれることが多い。通信機器は、他のパーティとの通信を可能にするための適当な信号送受信構成を備える。通信機器は、例えば、インターネットアクセスなどを可能にするための音声、電子メール（Ｅメール）、テキストメッセージ、マルチメディアなどの通信を運ぶデータをやりとりするように構成することができる。従って、ユーザの通信機器を介して、ユーザに数多くのサービスを提案及び提供することができる。通信接続は、１又はそれ以上のデータベアラによって提供することができる。
【０００５】
無線システムでは、通信機器が、アクセスノード及び／又は別の通信機器と通信できる送受信局を提供する。通信機器又はユーザ装置を通信システムの一部と見なすこともできる。用途によっては、例えばアドホックネッワークでは、通信システムが、互いに通信可能な複数のユーザ装置の使用に基づくことができる。
【０００６】
無線通信機器の特徴は、これらがユーザにモビリティを提供する点である。モバイル通信機器、すなわち略してモバイル機器を、１つの基地局から別の基地局に、さらには異なるシステムに属する基地局間で移行又はハンドオーバすることもできる。
【０００７】
第３世代パートナーシッププロジェクト（３ＧＰＰ）は、ユニバーサル移動体電気通信システム（ＵＭＴＳ）無線アクセス技術のロングタームエボリューション（ＬＴＥ）として知られているアーキテクチャを標準化中である。その目的は、とりわけ、レイテンシを短縮し、ユーザデータレートを高め、システム容量及びカバレッジを改善し、通信事業者のコストを削減することである。本明細書では、ＬＴＥのさらなる発展をＬＴＥ−Ａｄｖａｎｃｅｄと呼ぶ。ＬＴＥ−Ａｄｖａｎｃｅｄは、低いコストでさらにデータレートを高めてレイテンシを短縮することにより、さらに強化したサービスを提供することを目的としている。３ＧＰＰ  ＬＴＥ仕様の様々な開発段階は、リリースと呼ばれる。
【０００８】
国際移動体通信（ＩＭＴ）に向けた新たなスペクトル帯には、より高い周波数帯域が含まれ、ＬＴＥ−Ａｄｖａｎｃｅｄは、より高いデータレートを目指しているので、伝播損失が高いこと及びビットあたりエネルギーが制限されることにより、１つの基地局のカバレッジが制限される可能性がある。カバレッジを拡大する１つの可能性としてリレー方式が提案されてきた。このカバレッジの拡大という目的とは別に、リレー概念を導入することで、高シャドーイング環境における高ビットレートカバレッジの提供を支援し、ユーザ装置における平均無線送信電力を削減することができる。これにより、バッテリ寿命を向上させ、セル容量を高め、スループットを効率的にすることができる。リレー方式では、無線アクセスネットワーク（ＲＡＮ）の開発コストを削減することもできる。
【０００９】
ＬＴＥ−Ａアーキテクチャでは、リレーノードが、ドナーｅＮｏｄｅＢ（ＤｅＮＢ）などの基地局と通信することができる。３ＧＰＰ  ＴＳＧ  ＲＡＮ  ＷＧ３＃６８及び３ＧＰＰ  ＴＳＧ-ＲＡＮ  ＷＧ３＃６６ｂｉｓに述べられているように、ＤｅＮＢは、リレーノードが他のエンティティと通信する際にリレーノードのためのプロキシとして機能することができる。このようにして、ＤｅＮＢは、Ｘ２インターフェイスなどのインターフェイスの正しい確立を可能にするとともに、非ユーザ装置のシグナリングがリレーノードとの間で的確に伝わることを確実にする。
【００１０】
特定のＤｅＮＢに関連するリレーノードは、システム内の基地局などの他のエンティティに対しては、ＤｅＮＢのセルの一部と見なされる。実際には、近隣のリレーノードがＤｅＮＢに関連するリレーノードを識別し、このリレーノードに関連するＤｅＮＢと通信できるようにするために、ＤｅＮＢに関連するリレーノードは、同じｅＮＢ識別情報をＤｅＮＢと共有することができる。
【発明の概要】
【発明が解決しようとする課題】
【００１１】
Ｘ２インターフェイスなどのいくつかのインターフェイスは、ポイントツーポイントインターフェイスとして設計されたものである。例えば、以前は、Ｘ２インターフェイスを使用して２つの基地局間で通信することができていた。しかしながら、基地局に関連するリレーノードが導入されることにより、Ｘ２インターフェイスは、例えばＬＴＥ−Ａアーキテクチャとともに使用したときに、元々設計されていたようなポイントツーポイントインターフェイスとして動作することができない。これにより、リレーノードが開始できるユーザ装置のハンドオーバの種類が不明確になり得る。このことは、特定の基地局に関連する正しいリレーノードにメッセージを伝達できないことも意味し得る。
【００１２】
本発明の実施形態は、これらの問題の１つ又はいくつかに対処することを目的とするものである。
【課題を解決するための手段】
【００１３】
実施形態によれば、
第１のノードに関連するリレーノードから、少なくとも１つの第２のノードの指示を含む情報を受け取るステップと、
この指示に基づいて、少なくとも１つの第２のノードのパラメータ情報を判断するステップと、
を含む方法が提供される。
【００１４】
この情報は、少なくとも１つの第２のノードがリレーノードの新たな近隣ノードである旨の指示を含むことが好ましい。
【００１５】
この方法は、少なくとも１つの第２のノードのパラメータ情報をリレーノードに送信するステップを含むことが好ましい。
【００１６】
この方法は、第１のノードと少なくとも１つの第２のノードの間に接続が確立されているかどうかを判断するステップを含むことが好ましい。
【００１７】
この方法は、第１のノードと少なくとも１つの第２のノードの間に接続が確立されていない場合に、第１のノードと少なくとも１つの第２のノードの間に接続を確立し始めるステップを含むことが好ましい。
【００１８】
この方法は、リレーノードが第１のノードと少なくとも１つの第２のノードの間の接続を使用できるかどうかを判断するステップを含むことが好ましい。
【００１９】
パラメータ情報を送信するステップは、少なくとも１つの第２のノードの構成情報をリレーノードに送信して、このリレーが接続を使用できる旨を示すステップを含むことが好ましい。
【００２０】
パラメータ情報を送信するステップは、少なくとも１つの第２のノードの構成情報をリレーノードに送信しないことで、このリレーノードが接続を使用できない旨を示すステップを含むことが好ましい。
【００２１】
判断するステップは、リレーノードが接続をハンドオーバに使用できるかどうかを判断するステップを含むことが好ましい。
【００２２】
少なくとも１つの第２のノードの指示を含む情報は、第２のノードのリソースの状況要求を含むことが好ましい。
【００２３】
判断するステップは、リレーノード及び少なくとも１つの第２のノードの識別情報を状況要求から判断するステップを含むことが好ましい。
【００２４】
この方法は、識別情報に基づいて、リレーノードと少なくとも１つの第２のノードの間のアドレスマッピングを作成するステップを含むことが好ましい。
【００２５】
この方法は、アドレスマッピングに基づいて、リレーノードと少なくとも１つの第２のノードの間でメッセージを転送するステップを含むことが好ましい。
【００２６】
さらに別の実施形態によれば、
第１のノードに関連するリレーノードから、少なくとも１つの第２のノードの指示を含む情報を受け取る手段と、
この指示に基づいて、少なくとも１つの第２のノードのパラメータ情報を判断する手段と、
を備える装置が提供される。
【００２７】
この情報は、少なくとも１つの第２のノードがリレーノードの新たな近隣ノードである旨の指示を含むことが好ましい。
【００２８】
この装置は、少なくとも１つの第２のノードのパラメータ情報をリレーノードに送信する手段を備えることが好ましい。
【００２９】
この装置は、第１のノードと少なくとも１つの第２のノードの間に接続が確立されているかどうかを判断する手段を備えることが好ましい。
【００３０】
この装置は、第１のノードと少なくとも１つの第２のノードの間に接続が確立されていない場合に、第１のノードと少なくとも１つの第２のノードの間に接続を確立し始める手段を備えることが好ましい。
【００３１】
この装置は、リレーノードが第１のノードと少なくとも１つの第２のノードの間の接続を使用できるかどうかを判断する手段を備えることが好ましい。
【００３２】
パラメータ情報を送信する手段は、少なくとも１つの第２のノードの構成情報をリレーノードに送信して、このリレーが接続を使用できる旨を示すように構成されることが好ましい。
【００３３】
パラメータ情報を送信する手段は、少なくとも１つの第２のノードの構成情報をリレーノードに送信しないことで、リレーノードが接続を使用できない旨を示すように構成されることが好ましい。
【００３４】
判断する手段は、リレーノードが接続をハンドオーバに使用できるかどうかを判断するように構成されることが好ましい。
【００３５】
少なくとも１つの第２のノードの指示を含む情報は、第２のノードのリソースの状況要求を含むことが好ましい。
【００３６】
判断する手段は、リレーノード及び少なくとも１つの第２のノードの識別情報を状況要求から判断するように構成されることが好ましい。
【００３７】
この装置は、識別情報に基づいて、リレーノードと少なくとも１つの第２のノードの間のアドレスマッピングを作成する手段を備えることが好ましい。
【００３８】
この装置は、アドレスマッピングに基づいて、リレーノードと少なくとも１つの第２のノードの間でメッセージを転送する手段を備えることが好ましい。
【００３９】
さらに別の実施形態によれば、プロセッサと、コンピュータプログラムコードを含むメモリとを備えた装置が提供され、このメモリ及びコンピュータプログラムコードは、プロセッサを用いて装置に、第１のノードに関連するリレーノードから、少なくとも１つの第２のノードの指示を含む情報を受け取るステップと、この指示に基づいて、少なくとも１つの第２のノードのパラメータ情報を判断するステップとを少なくとも実行させる。
【００４０】
本発明の方法を実行するようになっているプログラムコード手段を含むコンピュータプログラムを提供することもできる。
【００４１】
以下の詳細な説明及び添付の特許請求の範囲には、様々な他の態様及びさらなる実施形態も記載する。
【００４２】
以下の例及び添付図面を参照しながら、本発明をほんの一例としてさらに詳細に説明する。
【図面の簡単な説明】
【００４３】
【図１】いくつかの実施形態における通信システムの例を示す図である。
【図２】いくつかの実施形態によるフロー図である。
【図３】いくつかの実施形態によるシグナリング図である。
【図４】いくつかの実施形態によるシグナリング図である。
【図５】いくつかの実施形態における、近隣ノード間のインターフェイスの概略図である。
【図６】他のいくつかの実施形態によるシグナリング図である。
【発明を実施するための形態】
【００４４】
以下、モバイル通信機器にサービスを提供する無線又は移動体通信システムを参照しながら、いくつかの例示的な実施形態について説明する。いくつかの例示的な実施形態の詳細を説明する前に、説明例の基礎をなす技術の理解に役立つように、図１を参照しながら無線通信システム及びモバイル通信機器のいくつかの一般的原理について簡単に説明する。
【００４５】
通信機器は、通信システムを介して提供される様々なサービス及び／又はアプリケーションへのアクセスに使用することができる。無線又は移動体通信システムでは、モバイル通信機器１１と適当なアクセスシステム１０の間で無線アクセスインターフェイスを介してアクセスが行われる。通常、モバイル機器１１は、少なくとも１つの基地局又はアクセスシステム１０の同様の無線送信機及び／又は受信機ノードを介して通信システムに無線でアクセスすることができる。１又はそれ以上の基地局は、Ｘ２インターフェイスを介して通信することができる。Ｘ２インターフェイスは、直接物理リンクとすることも、或いは両基地局が通信を行っているデータネットワークによって提供することもできる。通常、基地局サイトは、セルラーシステムの１又はそれ以上のセルを提供する。図１の例では、第１の基地局１２ａ及び第２の基地局１２ｂがセルを提供するように構成されているが、各々がセルを提供する例えば３つのセクタを提供することもできる。モバイル機器１１、並びに第１の基地局１２ａ及び第２の基地局１２ｂは、１又はそれ以上の無線チャネルを同時に開くことができ、複数のソースから信号を受信することができる。
【００４６】
通常、第１の基地局１２ａ及び第２の基地局１２ｂは、これらの動作及び基地局と通信するモバイル通信機器の管理を可能にするために、少なくとも１つの適当なコントローラにより制御される。この制御エンティティを他の制御エンティティと相互接続することもできる。図１には、コントローラがブロック１８によって提供されるように示している。適当なコントローラ装置１８は、少なくとも１つのメモリ１４、少なくとも１つのデータ処理ユニット１３、及び入力／出力インターフェイスを備えることができる。これらの制御機能を複数のコントローラユニット間で分散することもできると理解されたい。以下で詳細に説明するように、基地局１２ａのためのコントローラ装置１３は、制御機能を提供するための適当なソフトウェアコードを実行するように構成することができる。第２の基地局１２ｂもコントローラ装置を有することができるが、明確にするために図示していない。
【００４７】
図１の例では、第１の基地局ノード１２ａが、適当なゲートウェイ１５を介してデータネットワーク１６に接続されている。明確にするために、第２の基地局のデータネットワーク１６との接続は図示していない。例えばパケットデータゲートウェイ及び／又はアクセスゲートウェイ１７などのいずれかの適当なゲートウェイノードにより、アクセスシステムと、パケットデータネットワークなどの別のネットワークとの間のゲートウェイ機能を提供することもできる。従って、１又はそれ以上の相互接続ネットワーク及びその要素によって通信システムを提供することができ、様々なネットワークを相互接続するための１又はそれ以上のゲートウェイノードを提供することができる。
【００４８】
或いは、通常、モバイル機器１１は、少なくとも１つのリレー２０を介して通信システム１０にアクセスすることができる。明確にするために、第１の基地局１２ａに関連する１つのリレーノード２０のみを図示している。いくつかの実施形態では、第１の基地局に関連する他のリレーノード、及び／又は第２の基地局１２ｂなどの他の基地局に関連する１又はそれ以上のリレーノードが存在することもある。リレーノード２０は、セルカバレッジを拡大するとともに、通信システムのセル容量を高めることができる。
【００４９】
リレーノード２０を少なくとも１つのコントローラ装置２２により制御してこれを動作させ、このリレーノード２０と通信する通信機器１１を管理することができる。図１には、リレーノード２０に接続されたコントローラ装置２２を示している。コントローラ装置２２は、メモリ２４に接続された少なくとも１つのデータプロセッサ２３を備えることができる。リレーノード２０のためのコントローラ装置２２は、以下でより詳細に説明する制御機能を提供するための適当なソフトウェアコードを実行するように構成することができる。
【００５０】
通信機器１１を使用して、様々なサービス及び／又はアプリケーションにアクセスすることができる。通信機器は、符号分割多元接続（ＣＤＭＡ）又は広帯域ＣＤＭＡ（ＷＣＤＭＡ）などの様々なアクセス技術に基づいて通信システムにアクセスすることができる。後者の技術は、第３世代パートナーシッププロジェクト（３ＧＰＰ）仕様に基づく通信システムにより使用されている。他の例には、時分割多元接続（ＴＤＭＡ）、周波数分割多元接続（ＦＤＭＡ）、空間分割多元接続（ＳＤＭＡ）などがある。本明細書で説明する原理を適用できる移動体アーキテクチャの非限定的な例は、進化型ユニバーサル地上波無線アクセスネットワーク（Ｅ−ＵＴＲＡＮ）として知られている。適当なアクセスノードの非限定的な例にセルラーシステムの基地局があり、例えば、３ＧＰＰ仕様の語彙ではＮｏｄｅＢ又はエンハンストＮｏｄｅＢ（ｅＮＢ）として知られている。ｅＮＢは、ユーザプレーンの無線リンク制御／媒体アクセス制御／物理層プロトコル（ＲＬＣ／ＭＡＣ／ＰＨＹ）、及びモバイル通信機器に向けた制御プレーンの無線リソース制御（ＲＲＣ）プロトコル終端などのＥ−ＵＴＲＡＮ機能を提供することができる。他の例としては、無線ローカルエリアネットワーク（ＷＬＡＮ）及び／又はＷｉＭａｘ（ワールドワイド・インターオペラビリティ・フォー・マイクロウェーブ・アクセス）などの技術に基づくシステムの基地局が挙げられる。
【００５１】
無線信号を送受信できるあらゆる機器により、適当なモバイル通信機器を提供することができる。非限定的な例として、携帯電話又はスマートフォンとして知られているものなどの移動局（ＭＳ）、無線インターフェイスカード又はその他の無線インターフェイス設備を備えたポータブルコンピュータ、無線通信機能を備えた携帯情報端末（ＰＤＡ）、又はこれらのあらゆる組み合わせなどが挙げられる。
【００５２】
通信機器１１を音声及びビデオ通話に使用して、データネットワークを介して提供されるサービスアプリケーションにアクセスすることができる。通信機器１１は、無線キャリア又は無線ベアラ上で無線信号を送受信するための適当な装置を介して信号を受け取ることができる。この通信機器は、例えば無線部及び関連するアンテナ配列によって実現できる送受信機を備えることができる。アンテナ配列は、モバイル機器の内部に配置しても、又は外部に配置してもよい。通常、通信機器は、少なくとも１つのデータ処理エンティティ、少なくとも１つのメモリ、及び実行するように設計されたタスクで使用できるその他の構成要素も備える。これらのデータ処理エンティティ、ストレージエンティティ、及びその他のエンティティは、適当な回路基板上及び／又はチップセット内に設けることができる。
【００５３】
通信機器１１のモビリティ管理は、モビリティ管理エンティティ（ＭＭＥ）１９によって行うことができる。例えば、ＭＭＥ１９は、通信機器１１の１つのセルから別のセルへのハンドオーバを制御する。ＭＭＥ１９は、ある基地局又はリレーノードのセルから別の基地局又はリレーノードのセルへのハンドオーバを制御することもできる。図１では、ＭＭＥ１９が、Ｓ１インターフェイスを介して第１の基地局１２ａ及び第２の基地局１２ｂと通信する。
【００５４】
第１の基地局１２ａ及び第２の基地局１２ｂは、Ｓ１インターフェイスによってＥＰＣ（進化型パケットコア）に接続される。より詳細には、第１の基地局１２ａ及び第２の基地局１２ｂは、Ｓ１−ＭＭＥ接続（図示せず）によってＭＭＥ１９に接続され、Ｓ１−Ｕ接続（図示せず）によってサービングゲートウェイ（Ｓ−ＧＷ、図示せず）に接続される。いくつかの実施形態では、Ｓ１インターフェイスが、ＭＭＥ／サービングゲートウェイとｅＮＢの間の多対多の関係をサポートする。Ｓ１−Ｕ接続を使用してユーザプレーントラフィックが伝達され、Ｓ１−ＭＭＥを使用してシグナリングトラフィックが伝達される。
【００５５】
ＭＭＥ１９を少なくとも１つのコントローラ装置（図示せず）により制御してこれを動作させ、通信機器１１のモビリティ管理を行うことができる。このコントローラ装置は、メモリ２１に接続された少なくとも１つのデータプロセッサ２０を備えることができる。ＭＭＥ１９のためのコントローラ装置は、以下で詳細に説明するような制御機能を提供するための適当なソフトウェアコードを実行するように構成することができる。
【００５６】
以下、図１を参照しながら、いくつかの実施形態によるリレー情報の作用について説明する。第１の基地局１２ａは、ＬＴＥ−Ａアーキテクチャによる、リレーノード２０のドナーｅＮＢ（ＤｅＮＢ）である。第１の基地局１２ａは、リレーノード２０のＳ１及びＸ２インターフェイスのためのプロキシ機能を実施する。Ｓ１及びＸ２手順に関連する非通信機器シグナリングは、リレーノード２０と第１の基地局１２ａの間、又は第１の基地局１２ａとＭＭＥ１９の間のいずれかにおいて実行される。図１には、リレーノード２０と第１の基地局１２ａの間のＳ１及びＸ２インターフェイスを介したシグナリングを、Ｓ１及びＸ２と表示する矢印でそれぞれ示している。第１の基地局１２ａとＭＭＥ１９の間のシグナリングは、Ｓ１と表示する矢印で示している。矢印Ｘ２と表示するＸ２インターフェイスを介した第１の基地局１２ａと第２の基地局１２ｂの間のシグナリングも示している。
【００５７】
いくつかの実施形態では、リレーノード２０をサポートするためのアーキテクチャを図５に示している。図５には、第１の基地局１２ａ、第２の基地局１２ｂ、リレーノード２０、及び図１と同様の構成のＭＭＥ１９を示している。また、いくつかの実施形態では、１又はそれ以上の他のＭＭＥ５０２が存在してもよい。
【００５８】
図５に示すように、リレーノード２０は、第１の基地局１２ａからのＳ１、Ｘ２及びＵｎインターフェイスを終端させる。第１の基地局１２ａすなわちＤｅＮＢは、リレーノード２０と、第２の基地局１２ｂ、他のｅＮＢ、ＭＭＥ及びＳ−ＧＷなどの他のネットワークノードとの間のＳ１及びＸ２プロキシ機能を提供するように構成される。Ｓ１及びＸ２プロキシ機能は、ユーザ装置専用のＳ１及びＸ２シグナリングメッセージ及び汎用パケット無線サービストンネリングプロトコル（ＧＴＰ）データパケットを、リレーノード２０に関連するＳ１及びＸ２インターフェイスと、他のネットワークノードに関連するＳ１及びＸ２インターフェイスとの間で受け渡すことを含むことができる。いくつかの実施形態では、第１の基地局１２ａがプロキシ機能を提供するように構成され、リレーノード２０にとっては、ＭＭＥ（Ｓ１接続の場合）、ｅＮＢ（Ｘ２接続の場合）及びＳ−ＧＷのように映る。
【００５９】
第１の基地局１２ａは、リレーノード２０のためのサービングゲートウェイ（Ｓ−ＧＷ）及び／又はプロキシゲートウェイ（Ｐ−ＧＷ）機能も提供する。第１の基地局１２ａは、リレーノード２０のためのセッションを作成し、リレーノード２０のための進化型パケットシステム（ＥＰＳ）ベアラを管理し、リレーノード２０にサービスを提供するＭＭＥ１９に向けてＳ１１インターフェイスを終端させるように構成される。リレーノード２０及び第１の基地局１２ａは、リレーノード２０に合わせて構成されたＥＰＳベアラに対するシグナリング及びデータパケットのマッピングも行う。このマッピングは、ユーザ装置及びプロキシゲートウェイのために定められたサービス品質（ＱｏＳ）機構に基づくことができる。
【００６０】
第１の基地局１２ａは、プロキシ機能を実行してＸ２インターフェイスを正しく確立できるようにするとともに、リレーノード２０とその近隣ノードの間のＸ２インターフェイスを介したシグナリングが、リレーノード２０との間で的確に伝わることを確実にする。
【００６１】
リレーノード２０の近隣ノードは、例えば第２の基地局１２ｂなどの基地局、又は例えば第２の基地局１２ｂに関連するリレーノードなどの別のリレーノード（図示せず）とすることができる。
【００６２】
いくつかの実施形態では、リレーノード２０が、通信機器１１に対して第１の基地局１２ａのセルと見なされる。このように、リレーノード２０は、第１の基地局１２ａと同じ一意の基地局識別情報を共有する。第１の基地局１２ａは、ｅＮＢ  ＩＤなどの一意の識別情報を有する。ｅＮＢ  ＩＤは、グローバルセルＩＤ（ＧＵＩ）の最初の２０ビットを含む。いくつかの実施形態では、リレーノード２０のグローバルセルＩＤに含まれる最初の２０ビットが、第１の基地局１２ａがサポートする他の全てのセルに等しい。このことは、リレーノード２０の近隣ノードがリレーノード２０を識別し、第１の基地局１２ａなどの適当な基地局と通信できることを意味する。リレーノード２０の近隣ノードが第１の基地局１２ａと通信しようと試みると、第１の基地局１２ａはプロキシ機能を実行し、リレーノード２０へ向けて通信を転送する。
【００６３】
いくつかの実施形態は、リレーノード２０とその近隣ノードの間のＸ２インターフェイス通信をポイントツーポイントレベルで有利に提供する。このことは、実施形態によっては、通信機器１１を近隣セル内の近隣ノードにハンドオーバする際にリレーノード２０が開始する必要があるハンドオーバの種類をリレーノード２０が判断するための情報を取得する構成が提供されることを意味する。例えば、リレーノード２０は、Ｓ１に基づくハンドオーバを実行すべきであるか、それともＸ２に基づくハンドオーバを実行すべきであるかを判断するための情報を取得することができる。また、実施形態によっては、同じＸ２インターフェイスを共有する基地局に１又はそれ以上のリレーノードが関連付けられているにも関わらず、リレーノード２０及びその近隣ノードが、ポイントツーポイント方式でメッセージを交換するのに十分なアドレス情報を取得する構成が提供される。
【００６４】
以下、図２を参照しながらいくつかの実施形態について説明する。図２には、基地局で実施される方法のフロー図を示している。
【００６５】
ステップ２０２に示すように、第１の基地局１２ａが、リレーノード２０ａから情報を受け取る。基地局１２ａにおいてリレーノード２０から受け取られる情報は、例えば第２の基地局１２ｂなどの少なくとも１つの近隣ノードの指示を含む。いくつかの実施形態では、この情報がメッセージの形で第１の基地局１２ａへ送信される。このメッセージは、上記少なくとも１つの近隣ノードに関する情報を求める要求、或いはこの少なくとも１つの近隣ノードに関する情報を求める要求の指示を含むことができる。いくつかの実施形態では、この要求の指示を事前に決めておくことができる。例えば、第１の基地局は、リレーノード２０から送られた更新メッセージに応答して、近隣ノードのパラメータ情報を判断する。
【００６６】
第１の基地局１２ａは、ステップ２０４に示すように、リレーノード２０からの情報を受け取ったことに応答して、少なくとも１つの近隣ノード１２ｂのパラメータ情報を判断する。基地局１２ａのプロセッサ１３は、１又はそれ以上の他のエンティティと情報の交換を開始することができる。例えば、いくつかの実施形態では、リレーノードから受け取った情報が、リレーノード２０が近隣ノードに関連する１又はそれ以上のインターフェイスに関するパラメータ情報を必要としている旨を示す。リレーノード２０は、近隣ノード１２ｂからインターフェイス情報を取得できないことがあるので、近隣ノード１２ｂに関連するインターフェイスの構成及びパラメータに関する情報を第１の基地局１２ａが取得することを必要とする。
【００６７】
第１の基地局１２ａは、近隣ノードに要求を送信することにより、近隣ノードのインターフェイスに関する情報を取得する。或いは、第１の基地局１２ａは、近隣ノード１２ｂとのインターフェイスの情報をメモリ１４から取り出すこともできる。
【００６８】
或いは、プロセッサ１３が、リレーノード２０から受け取った要求に応答して、少なくとも１つの近隣ノードのアドレスを判断することもできる。いくつかの実施形態では、プロセッサ１３が、近隣ノードに関する情報の１又はそれ以上のその他のソースからのアドレスを相関付けてアドレス情報を判断することができる。
【００６９】
第１の基地局１２ａのプロセッサ１３が、少なくとも１つの近隣ノード１２ｂのパラメータ情報を判断すると、第１の基地局１２ａは、このパラメータ情報をリレーノード２０に送信する。このことは、リレーノード２０が、第１の基地局をプロキシエンティティとして使用することにより、Ｘ２インターフェイスを使用して情報を受け取れることを意味する。このことは、リレーノード２０が１又はそれ以上の近隣ノードとのインターフェイスの利用可能性に関する情報を取得することを有利に意味する。リレーノード２０は、第１の基地局１２ａが決定した固有のマッピングに基づいて、近隣ノードにメッセージを送信することもできる。
【００７０】
以下、図３を参照しながら他のいくつかの実施形態について説明する。図３には、いくつかのより詳細な実施形態のシグナリング図を示している。
【００７１】
リレーノード２０を、新たな近隣ノードの存在を判断するように構成することができる。例えば、第２の基地局１２ｂが初期化手順を実行した場合、リレーノード２０に関連する通信機器１１は、測定を行って第２の基地局１２ｂの新たな存在を検出することができる。ステップ３０２に示すように、リレーノード２０は測定レポートを受け取る。図３のステップ３０２には、測定レポート又は自動近隣関係測定（ＡＮＲ  ＭＲＭ）を示している。
【００７２】
いくつかの実施形態では、近隣関係テーブルにエントリを提供するために、第１の基地局１２ａが自動近隣関係機能を用いて測定を使用することができる。この近隣関係機能は、近隣ノードのアイデンティティ、リレーノード２０がＸ２インターフェイスの確立を許可されているかどうか、及びリレーノード２０がＸ２インターフェイスを介したモビリティ手順の送信を許可されているかどうかに関する情報を含むことができる情報を、第１の基地局１２ａのプロセッサ１３に提供する。
【００７３】
いくつかの実施形態では、通信機器１１から少なくとも１つの測定レポートを受け取ると、リレーノード２０のプロセッサ２３が、新たな近隣ノードの存在を判断する。この測定レポートは、物理セル識別子を示すことができる。この測定レポートは、他の情報を含むこともできる。これとは別に、又はこれに加えて、セルグローバルアイデンティティなどの他の情報を提供する後続の測定レポートをユーザ装置から受け取ることもできる。
【００７４】
次に、ステップ３０４に示すように、プロセッサ２３は、第１の基地局１２ａに構成更新メッセージを送信することができる。第１の基地局１２ａに構成更新メッセージが送信されることにより、第１の基地局１２ａは、メモリ１４に記憶された記録を更新することができる。通常、この更新メッセージは、確立されたＸ２インターフェイスを介してリレーノード２０から第１の基地局１２ａへ送信される。いくつかの実施形態では、更新情報がｅＮＢ構成更新メッセージである。ｅＮＢ構成更新メッセージは、新たな近隣ノードのアイデンティティ、セルグローバル識別子（ＣＧＩ）、及び／又は物理セル識別子（ＰＣＩ）についての情報のうちの１又はそれ以上を含む。ＣＧＩは、公衆陸上移動体ネットワーク内のセルを一意に識別するアイデンティティである。ＰＣＩは、別の種類のセルアイデンティティであるが、ＣＧＩよりも小さい。このように、ＰＣＩは、シグナリングオーバヘッドをそれほど必要とせず、例えばメッセージ内のスペースをそれほど取らないので、情報交換に使用することができる。しかしながら、ＰＣＩは、ネットワーク内のセルを一意に識別しないこともある。
【００７５】
第１の基地局１２ａが更新メッセージを受け取ると、第１の基地局１２ａのプロセッサ１３は、第１の基地局と新たな近隣ノード１２ｂの間に適当なインターフェイスが確立されているかどうかを判断する。
【００７６】
例えば、第１の基地局１２ａは、新たな近隣ノード１２ｂと通信する必要がある場合に、この新たな近隣ノード１２ｂとのインターフェイスが確立されているかどうかをチェックすることができる。
【００７７】
第１のシナリオでは、ステップ３０６に示すように、第１の基地局１２ａのプロセッサ１３が、新たな近隣ノード１２ｂとの間にＸ２インターフェイスなどのインターフェイスが既に確立されていると判断する。近隣ノード１２ｂが再起動したことを新たに検出することができる。
【００７８】
次に、第１の基地局１２ａのプロセッサ１３は、Ｘ２インターフェイスを介してモビリティが許可されているかどうかを判断する。第１の基地局１２ａのプロセッサ１３は、Ｘ２インターフェイスが利用可能であるがＸ２モビリティが許可されていないと判断した場合、この新たな近隣ノードのＸ２インターフェイスにハンドオーバが許可されていないとマーキングするようにメモリ１４を更新する。いくつかの実施形態では、第１の基地局１２ａが、近隣ノードのＸ２インターフェイス上におけるモビリティの利用可能性及び許容可能性を記憶するための基地局近隣テーブルを更新する。ステップ３１０には、第１の基地局１２ａのメモリ１４を更新することを示している。
【００７９】
次に、ステップ３１２に示すように、第１の基地局１２ａのプロセッサ１３は、この新たな近隣ノードに関する情報をリレーノード２０に送信し始める。更新メッセージは、いつリレーノードに送信してもよい。実際には、第１の基地局１２ａがリレーノード２０から情報を受け取ったかどうかに関わらず、定期的にステップ３０６、３０８及び３１０を実行することができる。このようにして、近隣ノード１２ｂとのＸ２インターフェイスの利用可能性に関する要求をリレーノード２０から受け取る前に、Ｘ２インターフェイスが利用可能であるかどうかを判断することができる。
【００８０】
リレーノード２０のプロセッサ２３は、更新メッセージから新たな近隣ノードに関する情報を判断し、これに応じてリレーノード２０のメモリを更新する。
【００８１】
いくつかの実施形態では、更新メッセージが、ｅＮＢ構成更新メッセージを含む。ｅＮＢ構成更新メッセージは、Ｘ２インターフェイスモビリティを使用したハンドオーバを許可しているリレーノード２０の全ての近隣ノードの詳細を含む。Ｘ２モビリティを介してリレーノードの近隣ノードに到達可能であるかどうかを示す情報は、Ｘ２インターフェイスを介した通信機器１１のハンドオーバにどのリレーノードを使用できるかをリレーノード２０が判断するための情報を提供する。
【００８２】
いくつかの実施形態では、第１の基地局１２ａが、Ｘ２インターフェイスを使用するハンドオーバがリレーノード２０に対して許可されていないと判断した場合、構成更新メッセージは、新たに発見された近隣ノードの詳細を全く含まない。このように、近隣ノードに対する情報が存在しない場合、新たな近隣ノード１２ｂへのＸ２インターフェイスを介したハンドオーバが許可されていない旨の情報がリレーノード２０に示される。
【００８３】
或いは、第１の基地局１２ａと近隣ノード１２ｂの間にＸ２インターフェイスが事前に確立されており、プロセッサ１３が、Ｘ２インターフェイス上のモビリティが許可されていると判断することもある。この場合、更新メッセージは、新たに発見された近隣ノードに関する情報を含む。このようにして、リレーノード２０のプロセッサ２３は、Ｘ２インターフェイスを介した新たな近隣ノード１２ｂへのハンドオーバがリレーノード２０によって許可されていると判断する。実際には、プロセッサ２３は、更新メッセージ内に近隣ノードの情報が存在することに基づいて、リレーノードがＸ２インターフェイスを使用できると判断する。
【００８４】
別のシナリオでは、ステップ３０６に示すように、第１の基地局１２ａのプロセッサ１３が、新たな近隣ノード１２ｂとの間にＸ２インターフェイスが確立されていないと判断する。例えば、近隣ノード１２ｂが初めて設置された場合もあれば、或いは第１の基地局１２ａがリセットされている場合もある。第１の基地局１２ａと第２の基地局１２ｂの間にＸ２インターフェイスが確立されていない場合、第１の基地局のプロセッサ１３は、ステップ３０８に示すようにＸ２セットアップ手順を開始する。次に、第１の基地局１２ａのプロセッサ１３は、近隣ノード１２ｂとのＸ２インターフェイス上でリレーノード２０のためのＸ２モビリティが許可されているかどうかを判断することができる。リレーノード２０のためのＸ２モビリティが許可されている場合、第１の基地局１２ａのプロセッサ１３は、新たな近隣ノードの情報をリレーノード２０に送信する。ステップ３１２に示すように、リレーノード２０のプロセッサ２３は、更新メッセージに近隣ノード１２ｂの詳細が含まれた時にＸ２モビリティが利用可能であると判断する。
【００８５】
第１の基地局１２ａのプロセッサ１３は、ステップ３０８に示すような近隣ノード１２ｂとのＸ２セットアップ手順を実行した場合、このセットアップ手順が成功しなかったと判断することもある。例えば、プロセッサ１３は、近隣ノード１２ｂとのＸ２インターフェイスが利用可能でない、或いは近隣ノード１２ｂとのＸ２インターフェイスは利用可能であるがリレーノード２０から近隣へのＸ２モビリティが可能でないと判断することがある。
【００８６】
前回と同様に、第１の基地局１２ａのプロセッサ１３は、ステップ３１２に示すように更新メッセージを送信し、新たに発見された近隣ノード１２ｂの詳細を除外して、他の近隣リレーノード全ての詳細を含める。
【００８７】
このようにして、リレーノード２０のプロセッサ２３は、近隣ノード１２ｂの情報が存在しないことに基づいて、リレーノードがＸ２インターフェイスを使用できないと判断する。
【００８８】
いくつかの代替の実施形態では、ステップ３１２において基地局１２ａが更新メッセージを送信しない。このように、ｅＮＢ構成更新メッセージが存在しない場合、リレーノードのプロセッサ２３は、新たに発見された近隣ノード１２ｂへのＸ２モビリティが可能でないと判断する。
【００８９】
リレーノード２０のプロセッサ２３は、更新メッセージに新たな近隣ノードの詳細が含まれていない場合、Ｘ２インターフェイスを介したハンドオーバが可能でないと判断する。代わりに、リレーノード２０のプロセッサ２３は、他の手段を使用して通信機器１１を近隣ノードにハンドオーバすべきであると判断する。例えば、リレーノードは、Ｓ１インターフェイスを使用してハンドオーバを実行することができる。
【００９０】
以下、図４を参照しながら別の実施形態について説明する。図４には、他のいくつかの詳細な実施形態のメッセージシグナリング図を示している。
【００９１】
いくつかの実施形態では、リレーノード２０のプロセッサ２３が、リソース状況手順を開始することができる。リソース状況手順は、特定の測定をレポートするための情報を近隣基地局１２ｂから取得するためにリレーノード２０のプロセッサ２３によって開始される。他のいくつかの実施形態では、近隣基地局１２ｂがリソース状況手順を開始して、リレーノード２０から特定の測定を取得することができる。
【００９２】
リソース状況要求及びリソース状況応答のリソース状況手順メッセージは、ソース及びネットワークのターゲットノードを識別するための情報要素を含んでいなくてもよい。この理由は、リソース状況手順メッセージが、そもそも単一ホップのピアツーピアインターフェイス上で動作するように規定されているからである。いくつかの実施形態では、第１の基地局１２ａが、ネットワーク内のリレーノードのアイデンティティを以下通りに判断するように有利に構成される。
【００９３】
ステップ４０２に示すように、リレーノード２０のプロセッサ２３は、リソース状況要求を送信することによってリソース状況手順を開始する。リソース状況要求に含まれる情報は、リレーノード２０のｅＮＢ測定ＩＤ及び第１の基地局１２ａのｅＮＢ測定ＩＤを含む。第１の基地局１２ａは、リレーノード２０からリソース状況要求を受け取り、第１の基地局１２ａのプロセッサ１３は、このリソース状況要求を開く。
【００９４】
測定を要求する例えば第２の基地局１２ｂなどのｅＮＢとのＸ２インターフェイスを介した測定構成を一意に識別するために、第１の基地局１２ａによってｅＮＢ１測定ＩＤが割り当てられる。例えば、このｅＮＢ１測定ＩＤを、第２の基地局１２ｂに固有のものとする。これが必要なのは、第２の基地局１２ｂが複数の測定を要求する場合があり、これらの各々の測定構成が異なるためである。このように、この測定ＩＤにより、第２の基地局１２ｂなどのｅＮＢがこれらの測定を区別できるようになる。
【００９５】
ステップ４０４に示すように、第１の基地局のプロセッサ１３は、このｅＮＢ測定ＩＤを翻訳する。
【００９６】
ステップ４０６に示すように、第１の基地局１２ａは、近隣ノード１２ｂにリソース状況要求を送信する。次に、ステップ４０８に示すように、近隣ノード１２ｂは、リソース状況要求を受け取るとリソース状況応答を送信する。このリソース状況応答は、リレーノード２０の近隣ノード１２ｂの現在利用可能なリソースの情報を含む。
【００９７】
第１の基地局１２ａのプロセッサ１３は、近隣ノード１２ｂからリソース状況応答を受け取ると、ｅＮＢ測定ＩＤをＸ２インターフェイス上の適当なリレーノードにマッピングする。ステップ４１０にこのマッピングを示している。第１の基地局１２ａは、Ｘ２通信の異なる部分で交換されたｅＮＢ測定ＩＤ間に一意のマッピングが存在することを確認する。例えば、第１の基地局１２ａは、リレーノード２０から第１の基地局１２ａへのＸ２通信のための一意のマッピング、及び第１の基地局１２ａから近隣ノード１２ｂへの一意のマッピングを判断する。
【００９８】
ステップ４１０に示すように、プロセッサ１３は、ｅＮＢ測定ＩＤをマッピングした後、リレーノード２０にリソース状況応答を送信する。
【００９９】
以下、図６を参照しながら、測定識別情報のマッピング及び翻訳についてさらに詳細に説明する。図６には、いくつかの実施形態によるシグナリング図を示している。
【０１００】
ステップ６０２に示すように、第１の基地局１２ａのプロセッサ１３は、リレーノード２０からリソース状況要求を受け取る。このリソース状況要求は、識別情報リレーノード２０を示す測定ＩＤ＝Ａを含む。リソース状況要求は、セルａ、ｂ、ｘ及びｙの測定も含む。セルａ及びｂは、第２の基地局１２ｂのセルであり、セルｘ及びｙは、第３の基地局１２ｃのセルである。第１の基地局１２ａのプロセッサ１３は、リソース状況要求を受け取ると、ステップ６０４に示すように、第１の基地局１２ａとリレーノード２０の間でリソース状況応答メッセージ及びリソース状況更新メッセージを通信するために識別情報ＮＢ２測定ＩＤ＝Ｂを確保する。
【０１０１】
プロセッサ１３は、このリソース状況要求から、リソース状況要求を第２の基地局１２ｂに転送してセルａ及びｂのリソース状況情報を取得しなければならないと判断する。同様に、プロセッサ１３は、このリソース状況要求から、リソース状況要求を第３の基地局１２ｃに転送してセルｘ及びｙのリソース状況情報を取得しなければならないと判断する。
【０１０２】
次に、プロセッサ１３は、ステップ６０４にも示すように、第２の基地局１２ｂに要求を送信するために識別情報ｅＮＢ１測定ＩＤ＝Ｃを使用し、第３の基地局１２ｃに要求を送信するために識別情報ｅＮＢ１測定ＩＤ＝Ｄを使用する。次に、第１の基地局１２ａは、ステップ６０６及び６１４にそれぞれ示すように、第２の基地局１２ｂ及び第３の基地局１２ｃに要求を送信する。
【０１０３】
第２の基地局１２ｂは、リソース状況要求を受け取り、ステップ６０８に示すように、リソース状況応答及びリソース状況更新メッセージに識別情報ｅＮＢ２測定ＩＤ＝Ｅを使用すると決定する。同様に、第３の基地局１２ｃは、リソース状況要求を受け取り、ステップ６１６に示すように、リソース状況応答及びリソース状況更新メッセージに識別情報ｅＮＢ２測定ＩＤ＝Ｆを使用すると決定する。
【０１０４】
次に、第２の基地局１２ｂ及び第３の基地局１２ｃは、ステップ６１０及び６１８にそれぞれ示すように、リソース状況応答メッセージ又はリソース状況更新メッセージを第１の基地局１２ａに送信する。
【０１０５】
いくつかの実施形態では、リソース状況応答及びリソース状況更新メッセージが、第１の基地局１２ａ及び第２基地局１２ｂ又は第３の基地局１２ｃによって割り当てられる識別情報をいずれも含む。例えば、リソース状況応答メッセージは、第１の基地局１２ａによって割り当てられたｅＮＢ１測定ＩＤ、及び第２の基地局１２ｂ又は第３の基地局１２ｃによって割り当てられたｅＮＢ２測定ＩＤを含む。図６では、２つの識別情報を含むリソース状況応答をステップ６１０及び６１８に示している。
【０１０６】
第１の基地局のプロセッサ１３は、第２の基地局１２ｂ又は第３の基地局１２ｃからリソース状況メッセージを受け取ると、リレーノード２０にメッセージを送信するために使用すべき識別情報を判断する。
【０１０７】
次に、第１の基地局１２ａは、ステップ６１２又は６２０にそれぞれに示すように、第２の基地局１２ｂ又は第３の基地局１２ｃから受け取ったリソース状況応答メッセージ又はリソース状況更新メッセージをリレーノード２０に送信する。
【０１０８】
第１の基地局１２ａがステップ６０４において割り当てたｅＮＢ１測定ＩＤがリソース状況応答メッセージ内に存在することにより、第１の基地局１２ａは、対応するリソース状況要求メッセージを識別することができる。このようにして、第１の基地局１２ａのプロセッサ１３は、ｅＮＢ１測定ＩＤ＝Ｃを含む要求メッセージが、ｅＮＢ２測定ＩＤ＝Ｅを含む応答メッセージに対応し、ｅＮＢ１測定ＩＤ＝Ｄを含む要求メッセージが、ｅＮＢ２測定ＩＤ＝Ｆを含む応答メッセージに対応し、ｅＮＢ１測定ＩＤ＝Ａを含む要求メッセージが、ｅＮＢ２測定ＩＤ＝Ｂを含む応答メッセージに対応すると判断することができる。
【０１０９】
このようにして、第１の基地局のプロセッサ１３は、リレーノードｅＮＢ１測定ＩＤ＝Ａからの識別情報を、第２の基地局ｅＮＢ１測定ＩＤ＝Ｃ及び第３の基地局ｅＮＢ１測定ＩＤ＝Ｄの識別情報にマッピングすることにより、リレーノード２０から第２の基地局１２ｂ又は第３の基地局１２ｃへのメッセージマッピングを実行する。同様に、プロセッサ１３は、第２の基地局ｅＮＢ２測定ＩＤ＝Ｅ及び第３の基地局ｅＮＢ２測定ＩＤ＝Ｆの識別情報を、リレーノードｅＮＢ２測定ＩＤ＝Ｂの識別情報にマッピングすることにより、第２の基地局１２ｂからリレーノードへのメッセージマッピングを実行する。
【０１１０】
いくつかの実施形態では、リレーノード２０が、ステップ６１２及び６２０に示す２つのリソース状況更新メッセージの代わりに、第１の基地局１２ａから単一のリソース状況更新メッセージを受け取る。第１の基地局１２ａは、ステップ６１０及び６１８に示すように第２及び第３の基地局から全てのリソース状況応答が受け取られるまで待機することができる。第１の基地局のプロセッサ１３は、リソース状況応答メッセージからの情報を組み合わせて単一のリソース状況応答メッセージにするように構成される。第１の基地局１２ａは、第１の基地局１２ａからの単一のリソース状況応答メッセージをリレーノード２０に送信する。このようにして、ステップ６１２及び６２０に示すリソース状況応答メッセージは、単一のリソース状況応答メッセージに置き換えられる。
【０１１１】
なお、ＬＴＥに関連して実施形態を説明したが、複数のコンポーネントキャリアを含むキャリアを利用する他のあらゆる通信システムにも同様の原理を適用することができる。例えば、上述した実施形態の一部又は全部を、ユニバーサル移動体電話システム（ＵＭＴＳ）に適用することができる。
【０１１２】
また、基地局によって提供されるキャリアの代わりに、モバイルユーザ装置などの通信機器によってコンポーネントキャリアを含むキャリアを提供することもできる。例えば、このことは、例えばアドホックネットワークにおいて、固定装置が提供されずに複数のユーザ装置によって通信システムが提供されるような用途に当てはまり得る。従って、無線ネットワーク、技術及び標準のためのいくつかの例示的なアーキテクチャを参照しながらいくつかの実施形態を一例として説明したが、本明細書で図示し説明した以外のあらゆる好適な形の通信システムに実施形態を適用することもできる。
【０１１３】
以上、本発明の例示的な実施形態について説明したが、本発明の範囲から逸脱することなく、本明細書に開示した解決策には様々な変形及び修正を行うことができる。
【０１１４】
一般に、様々な実施形態は、ハードウェア又は専用回路、ソフトウェア、論理回路、又はこれらのあらゆる組み合わせの形で実現することができる。例えば、ハードウェアの形で実現できる本発明の態様もあれば、コントローラ、マイクロプロセッサ、又はその他のコンピュータ機器により実行できるファームウェア又はソフトウェアの形で実現できる態様もあるが、本発明はこれらに限定されるものではない。本発明の様々な態様をブロック図、フロー図、又は他の何らかの図的記述を使用して図示し説明することができるが、本明細書で説明したこれらのブロック、装置、システム、技術、又は方法を、非限定的な例として、ハードウェア、ソフトウェア、ファームウェア、専用回路又は論理回路、汎用ハードウェア又はコントローラ又はその他のコンピュータ機器、又はこれらのいくつかの組み合わせの形で実行できることが十分に理解される。
【０１１５】
本発明の実施形態は、プロセッサエンティティなどのモバイル機器のデータプロセッサによって実行可能なコンピュータソフトウェアにより、又はハードウェアにより、又はソフトウェアとハードウェアの組み合わせにより実施することができる。
【０１１６】
さらに、これに関して、図中の論理フローのあらゆるブロックは、プログラムステップ、又は相互接続された論理回路、ブロック及び機能、又はプログラムステップと論理回路、ブロックと機能の組み合わせを表すことができる。ソフトウェアは、メモリチップなどの物理媒体、又はプロセッサ内に実装されたメモリブロック、ハードディスク又はフロッピー（登録商標）ディスクなどの磁気媒体、及び例えばＤＶＤ及びそのデータ変形、ＣＤなどの光学媒体に記憶することができる。
【０１１７】
メモリは、ローカル技術環境に適したいずれの種類のものであってもよく、半導体ベースのメモリ素子、磁気記憶装置及びシステム、光学記憶装置及びシステム、固定メモリ及び取り外し可能メモリなどのあらゆる適当なデータ記憶技術を使用して実現することができる。データプロセッサは、ローカル技術環境に適したいずれの種類のものであってもよく、非限定的な例として、汎用コンピュータ、専用コンピュータ、マイクロプロセッサ、デジタルシグナルプロセッサ（ＤＳＰ）、特定用途向け集積回路（ＡＳＩＣ）、ゲートレベル回路及びマルチコアプロセッサアーキテクチャに基づくプロセッサのうちの１又はそれ以上を挙げることができる。
【０１１８】
本発明の実施形態は、集積回路モジュールなどの様々な構成要素内で実施することができる。集積回路の設計は、概して高度に自動化されたプロセスである。論理レベルの設計を半導体基板上にエッチング及び形成できる状態の半導体回路設計に変換するための複雑かつ強力なソフトウェアツールを利用することができる。
【０１１９】
上記の説明では、本発明の例示的な実施形態の完全かつ有益な説明を一例としてかつ非限定的な例として行った。しかしながら、添付図面及び添付の特許請求の範囲と併せて読めば、当業者には上述の説明に照らして様々な修正及び適応が明らかになるであろう。しかしながら、添付の特許請求の範囲に定義する本発明の範囲には、本発明の教示のこのような及び同様の全ての修正も含まれる。実際に、１又はそれ以上の実施形態を上述した他の実施形態のいずれかと組み合わせたものを含むさらなる実施形態も存在する。
【符号の説明】
【０１２０】
２０２  第１のノードに関連するリレーノードから、少なくとも１つの第２のノードの指示を含む情報を受け取り
２０４  指示に基づいて少なくとも１つの第２のノードのパラメータ情報を判断
２０６  少なくとも１つの第２のノードのパラメータ情報をリレーノードに送信
【図１】
2013533686.tif 000003
【図２】
2013533686.tif 000004
【図３】
2013533686.tif 000005
【図４】
2013533686.tif 000006
【図５】
2013533686.tif 000007
【図６】
2013533686.tif 000008
【国際調査報告】
2013533686.tif 000009
2013533686.tif 000010
2013533686.tif 000011